(57)【要約】【課題】観察者側に出射される光にムラを発生させることなく、かつ、輝度が低下するのを抑制することが可能な照明装置を提供する。【解決手段】この照明装置１０は、ガラス基板１ａの表面上に形成される有機層２ｂと、ガラス基板１ａの表面上に平面的に見て有機層２ｂと重なるように配置され、有機層２ｂから照射される光を反射させる反射層９とを備え、反射層９は、有機層２ｂに向かって突出する凸形状に形成されている。【選択図】図１
2010212169.tif 000002
【特許請求の範囲】
【請求項１】
基板の表面上に形成される発光層と、
平面的に見て前記発光層と重なるように配置され、前記発光層から照射される光を反射させる反射層とを備え、
前記反射層は、前記発光層に向かって突出する凸形状に形成されている、照明装置。
【請求項２】
前記発光層は、平面的に見て前記反射層と重なる位置に形成されているとともに、前記反射層の突出する方向に突出した凸形状に形成されている、請求項１に記載の照明装置。
【請求項３】
前記基板の前記反射層が配置される側の表面側に設けられるとともに、前記基板から反射層に向かう方向に突出する凸形状部をさらに備え、
前記反射層は前記発光層と前記凸形状部との間に、前記凸形状部の形状を反映するように凸形状に設けられ、前記発光層から照射される光のうち、前記基板側に向かう光は前記反射層により前記基板とは反対側に反射されて出射されるように構成されている、請求項１または２に記載の照明装置。
【請求項４】
前記基板と前記反射層との間に設けられた第１樹脂層をさらに備え、
前記凸形状部は、前記第１樹脂層の前記反射層が配置される側の表面に一体に形成され、
前記反射層は、前記第１樹脂層の凸形状部を覆うように形成されている、請求項３に記載の照明装置。
【請求項５】
前記凸形状部は、前記基板の前記反射層が配置される側の表面に一体に形成され、
前記反射層は、前記基板の凸形状部を覆うように形成されている、請求項３に記載の照明装置。
【請求項６】
前記凸形状部は、平面的に見て、円形状に形成されている、請求項３〜５のいずれか１項に記載の照明装置。
【請求項７】
前記基板は透光性基板を含み、
前記透光性基板の前記発光層が配置される側の表面側に形成された凹形状部をさらに備え、
前記反射層は前記発光層を介して前記透光性基板に設けられるとともに、前記発光層から照射される光のうち、前記透光性基板とは反対側に向かう光は前記反射層により前記透光性基板側に出射されるように構成され、
前記反射層は、前記凹形状部の形状を反映して前記透光性基板に向かう方向に突出する凸形状に形成されている、請求項１または２に記載の照明装置。
【請求項８】
前記透光性基板と前記発光層との間に設けられた第２樹脂層をさらに備え、
前記凹形状部は、前記第２樹脂層の前記発光層が配置される側の表面に一体に形成されている、請求項７に記載の照明装置。
【請求項９】
前記発光層は有機層により構成され、
前記有機層を発光させるための電圧を印加する陽極層および陰極層をさらに備え、
前記有機層、前記陽極層および前記陰極層により有機エレクトロルミネッセンス素子が構成され、
前記有機エレクトロルミネッセンス素子の有機層は、前記反射層の凸形状の突出方向に突出した凸形状に形成されている、請求項１〜８のいずれか１項に記載の照明装置。
【請求項１０】
基板の表面上に形成される発光層と、平面的に見て前記発光層と重なるように配置されるとともに、前記発光層に向かって突出する凸形状に形成され、前記発光層から照射される光を反射させる反射層とを含む照明部と、
前記照明部の発光層からの光を反射して表示を行う表示部とを備えた、表示装置。
【請求項１１】
前記表示部は、反射型液晶表示部として構成され、
前記照明部の発光層は有機層により構成され、
前記照明部は、前記有機層を発光させるための電圧を印加する陽極層および陰極層をさらに備え、
前記有機層、前記陽極層および前記陰極層により有機エレクトロルミネッセンス素子が構成され、
前記照明部の発光層からの光は、前記凸形状の反射層により発散された状態で前記反射型液晶表示部に照射されるように構成されている、請求項１０に記載の表示装置。
【請求項１２】
請求項１０および１１に記載の表示装置を備えた、電子機器。
【発明の詳細な説明】
【技術分野】
【０００１】
本発明は、照明装置、表示装置、および表示装置を備えた電子機器に関し、特に、発光層を備えた照明装置、表示装置および電子機器に関する。
【背景技術】
【０００２】
従来、発光層を備えた表示装置が開示されている（たとえば、特許文献１参照）。上記特許文献１には、発光層を含む有機エレクトロルミネッセンス素子（有機ＥＬ素子）が複数設けられた照明部と、照明部を光源とする反射型液晶表示部とを備えた表示装置が開示されている。上記特許文献１に記載の表示装置では、照明部はフロントライトとして構成され、反射型液晶表示部に接着されている。照明部は、平坦状の一方基板上に配置された有機ＥＬ素子からの光が一方基板の反対側に出射するとともに、有機ＥＬ素子に対向するように設けられた他方基板を透過して反射型液晶表示部側に照射されるトップエミッション型により構成されている。そして、照明部から照射された光は、反射型液晶表示部において照明部側に反射されるとともに、照明部を透過して観察者側に照射されるように構成されている。
【先行技術文献】
【特許文献】
【０００３】
【特許文献１】特開２００６−３５０３０３号公報
【発明の概要】
【発明が解決しようとする課題】
【０００４】
上記特許文献１に開示された表示装置では、フロントライトとして用いられる照明部の有機ＥＬ素子は、反射型液晶表示部と観察者との間に設けられているため、有機ＥＬ素子により反射型液晶表示部からの反射光が遮光され、その結果、観察者側に出射する光の輝度が低下するという不都合がある。このため、これに対して各々の有機ＥＬ素子の間隔をより大きくして配置することによって、遮光される反射光の量を低減させる方法が考えられる。しかしながら、この場合、有機ＥＬ素子の間隔を大きくする分、有機ＥＬ素子から反射型液晶表示部に照射される光にムラが発生するという問題点がある。
【０００５】
この発明は、上記のような課題を解決するためになされたものであり、この発明の１つの目的は、観察者側に出射される光にムラを発生させることなく、輝度が低下するのを抑制することが可能な照明装置、表示装置および電子機器を提供することである。
【課題を解決するための手段および発明の効果】
【０００６】
この発明の第１の局面による照明装置は、基板の表面上に形成される発光層と、平面的に見て発光層と重なるように配置され、発光層から照射される光を反射させる反射層とを備え、反射層は、発光層に向かって突出する凸形状に形成されている。
【０００７】
上記第１の局面による照明装置では、上記のように、反射層を発光層に向かって突出する凸形状に形成することによって、発光層の光が反射層によって反射される際に、反射層が平坦状に形成されている場合に比べて反射光を広範囲にわたって発散させて照射させることができる。これにより、発光層からの光を反射層により発散させて照射させることができるので、各々の発光層および反射層の配置間隔を大きくすることにより開口率を増加させたとしても、照明装置から出射される全体的な光にムラが発生するのを抑制することができる。その結果、たとえば、照明装置の光出射側に反射型液晶表示部を配置した場合においても、ムラのない光を反射型液晶表示部に照射することができる。また、反射型液晶表示部からの反射光を照明装置に照射する際においても、光のムラを発生させることなく各々の発光層の配置間隔を大きくしておく（開口率を増加させる）ことができるので、発光層により反射型液晶表示部からの反射光が遮光されるのを抑制することができる。したがって、その分、観察者側に照射される光の輝度が低下するのを抑制することができる。
【０００８】
上記第１の局面による照明装置において、好ましくは、発光層は、平面的に見て反射層と重なる位置に形成されているとともに、反射層の突出する方向に突出した凸形状に形成されている。このように構成すれば、発光層が反射層とともに凸形状に形成されるので、反射層により反射される反射光に加えて、発光層から光出射側に直接出射される光も発散させて照射させることができる。
【０００９】
上記第１の局面による照明装置において、好ましくは、基板の反射層が配置される側の表面側に設けられるとともに、基板から反射層に向かう方向に突出する凸形状部をさらに備え、反射層は発光層と凸形状部との間に、凸形状部の形状を反映するように凸形状に設けられ、発光層から照射される光のうち、基板側に向かう光は反射層により基板とは反対側に反射されて出射されるように構成されている。このように構成すれば、発光層の光を基板とは反対側に向けて照射するトップエミッション型の照明装置を構成することができるとともに、凸形状を覆うようにして反射層を形成することによって、凸形状部の形状が反映されるように反射層を容易に凸形状にすることができる。
【００１０】
この場合、好ましくは、基板と反射層との間に設けられた第１樹脂層をさらに備え、凸形状部は、第１樹脂層の反射層が配置される側の表面に一体に形成され、反射層は、第１樹脂層の凸形状部を覆うように形成されている。このように構成すれば、基板と反射層との間に設けられた第１樹脂層の凸形状部を覆うように反射層を形成することによって、反射層を容易に凸形状に形成することができる。
【００１１】
上記凸形状部を形成する構成において、好ましくは、凸形状部は、基板の反射層が配置される側の表面に一体に形成され、反射層は、基板の凸形状部を覆うように形成されている。このように構成すれば、凸形状部を基板に一体に形成することによって、凸形状部を別個に配置する場合に比べて構造を簡素化することができる。また、基板に形成された凸形状部を覆うように反射層を形成することによって、反射層を容易に凸形状に形成することができる。
【００１２】
上記凸形状部を設ける構成において、好ましくは、凸形状部は、平面的に見て、円形状に形成されている。このように構成すれば、凸形状部により光を発散させる場合に、平面的に見て全ての方向に均一に光を発散させることができる。
【００１３】
上記第１の局面による照明装置において、好ましくは、基板は透光性基板を含み、透光性基板の発光層が配置される側の表面側に形成された凹形状部をさらに備え、反射層は発光層を介して透光性基板に設けられるとともに、発光層から照射される光のうち、透光性基板とは反対側に向かう光は反射層により透光性基板側に出射されるように構成され、反射層は、凹形状部の形状を反映して透光性基板に向かう方向に突出する凸形状に形成されている。このように構成すれば、発光層からの光が反射層により反射されて透光性基板側に照射されるボトムエミッション型の照明装置が構成される。そして、透光性基板の凹形状部により反射層が透光性基板に向かって凸形状に形成されることにより、ボトムエミッション型の照明装置において、発光層からの光を透光性基板側に発散させながら照射することができる。
【００１４】
この場合、好ましくは、透光性基板と発光層との間に設けられた第２樹脂層をさらに備え、凹形状部は、第２樹脂層の発光層が配置される側の表面に一体に形成されている。このように構成すれば、凹形状部が一体に設けられた第２樹脂層を覆うように反射層を形成することによって、容易に、凹形状部に沿った凸形状の反射層を形成することができる。
【００１５】
上記第１の局面による照明装置において、好ましくは、発光層は有機層により構成され、有機層を発光させるための電圧を印加する陽極層および陰極層をさらに備え、有機層、陽極層および陰極層により有機エレクトロルミネッセンス素子が構成され、有機エレクトロルミネッセンス素子の有機層は、反射層の凸形状の突出方向に突出した凸形状に形成されている。このように構成すれば、光源を有機エレクトロルミネッセンス素子により構成した場合においても、有機エレクトロルミネッセンス素子からの光を凸形状の反射層によって発散させることができるとともに、凸形状の有機層から光出射側に照射する光を発散させることができる。
【００１６】
この発明の第２の局面による表示装置は、基板の表面上に形成される発光層と、平面的に見て発光層と重なるように配置されるとともに、発光層に向かって突出する凸形状に形成され、発光層から照射される光を反射させる反射層とを含む照明部と、照明部の発光層からの光を反射して表示を行う表示部とを備える。
【００１７】
上記第２の局面による表示装置では、上記のように、照射部における反射層を発光層に向かって突出する凸形状に形成することによって、発光層の光が反射層によって反射される際に、反射層が平坦状に形成されている場合に比べて反射光を広範囲にわたって発散させて照射させることができる。これにより、発光層からの光を反射層により発散させて照射させることができるので、各々の発光層および反射層の配置間隔を大きくすることにより開口率を増加させたとしても、照明部から出射される全体的な光にムラが発生するのを抑制することができる。その結果、照射部からムラのない光を反射型液晶表示部に照射することができる。また、反射型液晶表示部からの反射光を照明装置に照射する際においても、光のムラを発生させることなく各々の発光層の配置間隔を大きくしておく（開口率を増加させる）ことができるので、発光層により反射型液晶表示部の反射光が遮光されるのを抑制することができる。したがって、その分、観察者側に照射される光の輝度が低下するのを抑制することができる。
【００１８】
この場合、好ましくは、表示部は、反射型液晶表示部として構成され、照明部の発光層は有機層により構成され、照明部は、有機層を発光させるための電圧を印加する陽極層および陰極層をさらに備え、有機層、陽極層および陰極層により有機エレクトロルミネッセンス素子が構成され、照明部の発光層からの光は、凸形状の反射層により発散された状態で反射型液晶表示部に照射されるように構成されている。このように構成すれば、照明部の光源を有機エレクトロルミネッセンス素子により構成するとともに、表示部を反射型液晶表示部により構成した場合においても、有機エレクトロルミネッセンス素子から出射する光を凸形状に形成された反射層によって発散させることにより、反射型液晶表示部に照射される光にムラが発生するのを容易に抑制することができる。また、光のムラが発生するのを抑制しながら有機エレクトロルミネッセンス素子の配置間隔を大きくすることができるので、反射型液晶表示部からの反射光の一部が有機エレクトロルミネッセンス素子により遮光されるのを抑制することができる。
【００１９】
この発明の第３の局面による電子機器は、上記した構成を有する表示装置を備える。このように構成すれば、観察者側に出射される光にムラを発生させることなく、輝度が低下するのを抑制することが可能な表示装置を含む電子機器を得ることができる。
【図面の簡単な説明】
【００２０】
【図１】本発明の第１実施形態による照明装置を備えた表示装置の断面図である。
【図２】本発明の第１実施形態による照明装置の平面図である。
【図３】本発明の第１実施形態による照明装置の光源部分の構成について説明するための拡大平面図である。
【図４】本発明の第１実施形態による照明装置の光源部分について説明するための断面図（図３の５００−５００線に沿った断面図）である。
【図５】本発明の第１実施形態による照明装置の光源部分について説明するための断面図（図３の６００−６００線に沿った断面図）である。
【図６】本発明の第１実施形態による照明装置を備えた表示装置を説明するための断面図である。
【図７】本発明の第２実施形態による照明装置の光源部分について説明するための断面図である。
【図８】本発明の第３実施形態による照明装置の光源部分について説明するための断面図である。
【図９】本発明の第１〜第３実施形態による照明装置を含む表示装置を備えた第１の例による電子機器について説明するための斜視図である。
【図１０】本発明の第１〜第３実施形態による照明装置を含む表示装置を備えた第２の例による電子機器について説明するための斜視図である。
【図１１】本発明の第１〜第３実施形態による照明装置を含む表示装置を備えた第３の例による電子機器について説明するための斜視図である。
【発明を実施するための形態】
【００２１】
以下、本発明の実施形態を図面に基づいて説明する。
【００２２】
（第１実施形態）
図１〜図５を参照して、本発明の第１実施形態による表示装置１００の構成について説明する。
【００２３】
本発明の第１実施形態による表示装置１００は、図１に示すように、フロントライト型の照明部１０と、反射型液晶表示部２０とを備えている。なお、照明部１０および反射型液晶表示部２０は、それぞれ、本発明の「照明装置」および「表示部」の一例である。
【００２４】
照明部１０は、一対のガラス基板１ａおよび１ｂと、ガラス基板１ａおよび１ｂ間に配置された複数の有機エレクトロルミネッセンス素子（以下、有機ＥＬ素子）２とを備えている。ガラス基板１ａとガラス基板１ｂとは、互いの周辺部分に塗布された樹脂などからなるシール層３を介して接着されている。ガラス基板１ａの表面上には、樹脂層４が形成されているとともに、樹脂層４の表面上に有機ＥＬ素子２が形成されている。有機ＥＬ素子２は、平面的に見てマトリクス状に配置（図２参照）されている。また、ガラス基板１ａの有機ＥＬ素子２が配置された側の表面上には、有機ＥＬ素子２が配置された領域に対応する位置に、それぞれ、遮光膜５が形成されている。なお、ガラス基板１ａおよび樹脂層４は、それぞれ、本発明の「基板」および「第１樹脂層」の一例である。
【００２５】
有機ＥＬ素子２は、陽極層２ａ、有機層２ｂおよび陰極層２ｃが、この順番に積層されることにより構成されており、陽極層２ａおよび陰極層２ｃ間に印加される電圧により有機層２ｂが発光するように構成されている。また、陽極層２ａの表面上のうちの有機層２ｂが設けられない領域には透光性を有する絶縁膜６が形成されている。絶縁膜６は、陽極層２ａと陰極層２ｃとが短絡するのを抑制するために設けられている。また、図１および図２に示すように、樹脂層４の表面上には、櫛歯状に形成されたＩＴＯからなる第１透明電極７および第２透明電極８が形成されている。櫛歯上の第１透明電極７および第２透明電極８は、互いの歯部７ａと歯部８ａとが交互に配置されるように構成されている。そして、第１透明電極７から歯部７ａを介して陽極層２ａに正の電圧が印加されるとともに、第２透明電極８から陰極層２ｃに負の電圧が印加されるように構成されている。また、各々の有機ＥＬ素子２と樹脂層４との間には、それぞれ、反射層９が形成されている。反射層９は、たとえば、アルミニウムからなり、有機層２ｂから矢印Ｚ１方向に漏れる光を反射してガラス基板１ｂ側（矢印Ｚ２方向側）に照射する機能を有する。なお、有機層２ｂは、本発明の「発光層」の一例である。
【００２６】
ここで、図３〜図５を参照して、光源部分である有機ＥＬ素子２が形成された領域の構成について詳細に説明する。
【００２７】
まず、図３および図４に示すように、第１透明電極７の歯部７ａの表面上には、所定の間隔を隔てて有機層２ｂが設けられており、歯部７ａのうち、有機層２ｂが配置された領域が陽極層２ａとして構成されている。そして、有機層２ｂを覆うように陰極層２ｃが形成されている。
【００２８】
また、図３および図５に示すように、歯部８ａの表面上には絶縁膜６が形成されているとともに、絶縁膜６の歯部８ａ上に位置する領域には穴部６ａが形成されている。そして穴部６ａを介して陰極層２ｃが第２透明電極８の歯部８ａに接触するように形成されている。陰極層２ｃは、穴部６ａを覆うとともに、穴部６ａから有機層２ｂを覆う位置にまで延びるように形成されている。また、陰極層２ｃは、ＩＴＯなどの透明電極からなる。
【００２９】
以上の構成により、第１透明電極７の歯部７ａ（陽極層２ａ）に印加された正の電圧と、第２透明電極８の歯部８ａを介して陰極層２ｃに印加された負の電圧とが有機層２ｂに印加されることによって有機層２ｂが矢印Ｚ２方向側に発光する。そして、有機層２ｂから矢印Ｚ１方向に漏れる光は反射層９によって反射されてガラス基板１ｂ側（矢印Ｚ２方向側）に照射されるように構成されている。すなわち、第１実施形態における照明部１０は、有機ＥＬ素子２からガラス基板１ｂを介して外部（矢印Ｚ２方向側）に光を照射するトップエミッション型により構成されている。
【００３０】
ここで、第１実施形態では、樹脂層４の有機ＥＬ素子２が配置された側（矢印Ｚ２方向側）の表面には、有機層２ｂおよび反射層９が配置された領域に対応する部分（第１実施形態では有機層２ｂの直下部）に、有機層２ｂに向かって突出するように形成された凸形状部４ａが樹脂層４と一体に設けられている。そして、反射層９は、樹脂層４の凸形状部４ａを覆うように配置されるとともに、凸形状部４ａの形状を反映するように凸形状に形成されている。また、反射層９の表面上に形成された陽極層２ａ、有機層２ｂおよび陰極層２ｃも、凸形状部４ａおよび反射層９の形状を反映するように凸形状に形成されている。これにより、反射層９と、陽極層２ａ、有機層２ｂおよび陰極層２ｃとが、光出射側（Ｚ２方向側）に向かって突出する形状となる。
【００３１】
また、第１実施形態では、図３に示すように、凸形状部４ａは、平面的に見て円形形状を有しているとともに、凸形状部４ａの上部に配置された有機層２ｂも凸形状部４ａと同様に円形形状に形成されている。
【００３２】
次に、図６を参照して、反射型液晶表示部２０の構成について説明する。反射型液晶表示部２０は、一対のガラス基板２１ａおよび２１ｂを備え、ガラス基板２１ａの表面上に複数のスイッチング用の薄膜トランジスタ（ＴＦＴ）２２が形成されている。薄膜トランジスタ２２の表面上には層間絶縁膜２３が形成されているとともに、層間絶縁膜２３の表面上には、各々の薄膜トランジスタ２２に対応するように画素電極２４が形成されている。そして、薄膜トランジスタ２２と画素電極２４とは、層間絶縁膜２３に形成されたコンタクトホール２３ａを介して接続されている。また、画素電極２４は、アルミニウムなどの反射材料から構成されており、照明部１０から入射した光を観察者側（矢印Ｚ１方向側）反射する機能を有する。また、ガラス基板２１ｂのガラス基板２１ａに対向する側（矢印Ｚ２方向側）の表面には共通電極２５が形成されている。そして、ガラス基板２１ａおよび２１ｂ間には、液晶３０が充填されている。また、ガラス基板２１ｂの共通電極２５が形成された側の表面とは反対側（矢印Ｚ１方向側）の表面上には光散乱層２６が形成されているとともに、光散乱層２６の表面上には偏光板２７が形成されている。
【００３３】
そして、反射型液晶表示部２０と照明部１０とは、反射型液晶表示部２０の偏光板２７と照明部１０のガラス基板１ａとの間に設けられた樹脂性の接着層４０によって互いに接着されている。
【００３４】
第１実施形態では、上記のように、反射層９を有機層２ｂに向かって突出する凸形状に形成することによって、有機層２ｂの光が反射層９によって反射される際に、反射層９が平坦状に形成されている場合に比べて反射光を広範囲にわたって発散させて照射させることができる。したがって、有機層２ｂからの光を反射層９により発散させて照射させることができるので、各々の有機層２ｂおよび反射層９の配置間隔を大きくすることにより開口率を増加させたとしても、照明部１０から出射される全体的な光にムラが発生するのを抑制することができる。これにより、照明部１０の光出射側（矢印Ｚ２方向側）に配置した反射型液晶表示部２０に、ムラのない光を照射することができる。また、反射型液晶表示部２０からの反射光を照明部１０に照射する際においても、光のムラを発生させることなく各々の有機層２ｂの配置間隔を大きくする（開口率を増加させる）ことができるので、有機層２ｂにより反射光が遮光されるのを抑制することができる。したがって、その分、観察者側に照射される光の輝度が低下するのを抑制することができる。
【００３５】
また、上記第１実施形態では、有機層２ｂを、反射層９の表面を覆うように形成するとともに、反射層９の凸形状を反映するように凸形状に形成することによって、有機層２ｂが反射層９とともに凸形状に形成されるので、反射層９により反射される反射光に加えて、有機層２ｂから光出射側に直接出射される光も発散させて照射させることができる。
【００３６】
また、上記第１実施形態では、樹脂層４の表面にガラス基板１ｂに向かう方向に突出する凸形状部４ａを形成するとともに、反射層９を凸形状部４ａの形状を反映するように凸形状に設け、有機層２ｂから矢印Ｚ１方向側に漏れる光を反射層９により反射してガラス基板１ｂ側に出射するように構成する。このように構成することによって、有機層２ｂの光をガラス基板１ｂ側に向けて照射するトップエミッション型の照明部１０を構成することができるとともに、凸形状部４ａの形状を反映するように反射層９を容易に凸形状にすることができる。
【００３７】
また、上記第１実施形態では、凸形状部４ａを、樹脂層４の反射層９が配置される側の表面に一体に形成することによって、凸形状部４ａを別個に配置する場合に比べて構造を簡素化することができる。また、反射層９を、樹脂層４の凸形状部４ａを覆うように形成することによって、反射層９を容易に凸形状に形成することができる。
【００３８】
また、上記第１実施形態では、凸形状部４ａを、平面的に見て、円形状に形成することによって、凸形状部４ａにより光を発散させる場合に、平面的に見て全ての方向に均一に光を発散させることができる。
【００３９】
（第２実施形態）
次に、図７を参照して、第２実施形態について説明する。この第２実施形態では、照明部１０におけるガラス基板１ａの表面上に配置した樹脂層４の表面上に凸形状部４ａを形成した上記第１実施形態とは異なり、ガラス基板２０１ａの表面上に凸形状部２０１ｃを形成する例について説明する。
【００４０】
本発明の第２実施形態による表示装置２００における照明部２１０は、図７に示すように、ガラス基板２０１ａの第１表面２０１ｃ上に、反射層９と、陽極層２ａ、有機層２ｂおよび陰極層２ｃからなる有機ＥＬ素子２と、絶縁膜６とが形成されている。
【００４１】
ここで、第２実施形態では、ガラス基板２０１ａの有機ＥＬ素子２が配置された側の表面には、有機層２ｂが配置された領域に対応する部分（有機層２ｂの直下部）に、凸形状部２０１ｃがガラス基板２０１ａと一体に形成されている。そして、凸形状部２０１ｃを覆うようにして、凸形状部２０１ｃの形状を反映して反射層９および有機層２ｂが凸形状に形成されている。
【００４２】
なお、第２実施形態のその他の構成は、上記第１実施形態と同様である。
【００４３】
第２実施形態では、上記のように、ガラス基板２０１ａの表面に凸形状部２０１ｃを一体に形成する場合においても、有機ＥＬ素子２から照射される光を散乱させながら反射型液晶表示部２０に出射させることができる。
【００４４】
また、第２実施形態では、凸形状部２０１ｃを、ガラス基板２０１ａの反射層９が配置される側の表面に一体に形成することによって、凸形状部２０１ｃを別個に配置する場合に比べて構造を簡素化することができる。また、ガラス基板２０１ａに形成された凸形状部２０１ｃを覆うように反射層９を形成することによって、反射層９を容易に凸形状に形成することができる。
【００４５】
なお、第２実施形態のその他の効果は、上記第１実施形態と同様である。
【００４６】
（第３実施形態）
次に、図８を参照して、第３実施形態について説明する。この第３実施形態では、ガラス基板１ａ（２０１ａ）から有機ＥＬ素子２側に向かって突出するように凸形状部４ａ（２０１ｃ）を形成した第１（第２）実施形態とは異なり、有機ＥＬ素子３０２側からガラス基板３０１ａ側に向かって突出するように凸形状部３０２ｄを形成する例について説明する。
【００４７】
本発明の第３実施形態による表示装置３００における照明部３１０では、図８に示すように、ガラス基板３０１ａの矢印Ｚ２方向側の表面上に樹脂層３０４が形成されているとともに、樹脂層３０４の表面上には、陽極層３０２ａ、有機層３０２ｂおよび陰極層３０２ｃからなる有機ＥＬ素子３０２と、絶縁膜３０６とが形成されている。なお、ガラス基板３０１ａおよび樹脂層３０４は、それぞれ、本発明の「透光性基板」および「第２樹脂層」の一例である。
【００４８】
ここで、第３実施形態では、樹脂層３０４の矢印Ｚ２方向側の表面上には、有機層３０２ｂが配置された領域に対応する部分（有機層３０２ｂの直下部）に、樹脂層３０４と一体に凹形状部３０４ａが形成されている。そして、樹脂層３０４の凹形状部３０４ａの形状を反映するように、陽極層３０２ａ、有機層３０２ｂが矢印Ｚ１方向に向かって突出する凸形状に形成されている。また、陰極層３０２ｃの有機層３０２ｂを覆う領域には、有機層３０２ｂの形状を反映して矢印Ｚ１方向側に突出するように設けられた凸形状部３０２ｄが形成されている。陰極層３０２ｃは、たとえば、アルミニウムからなり、反射層としての機能を有するように構成されている。すなわち、第３実施形態における照明部３１０は、有機層３０２ｂが発光した際に、矢印Ｚ２方向に向かう光は反射層としての機能を有する陰極層３０２ｃによって矢印Ｚ１方向側に反射され、ガラス基板３０１ａを介して反射型液晶表示部２０側に照射されるボトムエミッション型の照明装置として構成されている。また、有機層３０２ｂおよび陰極層３０２ｃが矢印Ｚ１方向に向かう凸形状を有することにより、有機層３０２ｂから矢印Ｚ１方向に照射される光、および、陰極層３０２ｃによって矢印Ｚ１方向に反射される反射光は、ともに発散しながらガラス基板３０１ａ側に照射されるように構成されている。
【００４９】
なお、第３実施形態のその他の構成は、上記第１および第２実施形態と同様である。
【００５０】
第３実施形態では、上記のように、樹脂層３０４に凹形状部３０４ａを形成するとともに、凹形状部３０４ａの形状を反映するように有機層３０２ｂおよび陰極層３０２ｃを矢印Ｚ１方向に向かって突出するように形成することによって、ボトムエミッション型の照明部３１０を構成する場合においても、有機層３０２ｂから矢印Ｚ２方向側に向かう光を陰極層３０２ｃの凸形状部３０２ｄにより反射させるとともに、矢印Ｚ１方向側に発散させながら照射させることができる。
【００５１】
また、第３実施形態では、凹形状部３０４ａが一体に設けられた樹脂層３０４を覆うように陰極層３０２ｃ（反射層）を形成することによって、容易に、凹形状部３０４ａに沿って矢印Ｚ１方向に突出する凸形状部３０２ｄを有する陰極層３０２ｃを形成することができる。
【００５２】
なお、第３実施形態のその他の効果は、上記第１および第２実施形態と同様である。
【００５３】
次に、図９〜図１１を参照して、本発明の第１〜第３実施形態による表示装置１００、２００および３００を用いた第１〜第３の例による電子機器について説明する。
【００５４】
本発明の第１〜第３実施形態による表示装置１００、２００および３００は、図９〜図１１に示すように、第１の例によるＰＣ（Ｐｅｒｓｏｎａｌ  Ｃｏｍｐｕｔｅｒ）４００、第２の例による携帯電話４１０および第３の例による情報携帯端末４２０（ＰＤＡ：Ｐｅｒｓｏｎａｌ  Ｄｉｇｉｔａｌ  Ａｓｓｉｓｔａｎｔｓ）などに用いることが可能である。図９の第１の例によるＰＣ４００においては、キーボードなどの入力部４００ａおよび表示画面４００ｂなどに本発明の第１〜第３実施形態による表示装置１００、２００および３００を用いることが可能である。図１０の第２の例による携帯電話４１０においては、表示画面４１０ａに本発明の第１〜第３実施形態による表示装置１００、２００および３００が用いられる。図１１の第３の例による情報携帯端末４２０においては、表示画面４２０ａに本発明の第１〜第３実施形態による表示装置１００、２００および３００が用いられる。
【００５５】
なお、今回開示された実施形態は、すべての点で例示であって制限的なものではない。本発明の範囲は、上記した実施形態の説明ではなく特許請求の範囲によって示され、さらに特許請求の範囲と均等の意味および範囲内でのすべての変更が含まれる。
【００５６】
たとえば、上記第１〜第３実施形態では、陽極層および陰極層に電圧を供給する第１透明電極および第２透明電極を、それぞれ櫛歯形状に形成する例を示したが、本発明はこれに限らず、陽極層（第１透明電極）と陰極層（第２透明電極）とを櫛歯形状以外の形状により構成してもよい。
【００５７】
また、上記第１〜第３実施形態では、各々の有機ＥＬ素子をマトリクス状に配置する例を示したが、本発明はこれに限らず、マトリクス状以外に配置してもよい。
【００５８】
また、上記第１〜第３実施形態では、第１透明電極および第２透明電極の略全域を覆うように絶縁膜を形成する例を示したが、本発明はこれに限らず、陰極層と陽極層とが接触しないように有機層の周辺を囲む領域のみに設けてもよい。
【００５９】
また、上記第１および第２実施形態では、反射層と、有機ＥＬ素子における陽極層、有機層および陰極層とを、それぞれ、凸形状部の形状を反映するように凸形状になるように構成する例を示したが、本発明はこれに限らず、少なくとも反射層が凸形状に構成されていればよい。
【００６０】
また、上記第３実施形態では、ガラス基板と有機ＥＬ素子との間に設けた樹脂層の表面上に凹形状部を形成する例を示したが、本発明はこれに限らず、ガラス基板の有機ＥＬ素子側の表面上に凹形状部を形成してもよい。
【符号の説明】
【００６１】
１ａ、２０１ａ、３０１ａ  ガラス基板（基板）（透光性基板）
２ｂ、３０２ｂ  有機層（発光層）
４  樹脂層（第１樹脂層）
４ａ、２０１ｃ、３０２ｄ  凸形状部
９、３０２ｃ  反射層
１０、２１０、３１０  照明部（照明装置）
３０４  樹脂層（第２樹脂層）
３０４ａ  凹形状部
２０  反射型液晶表示部（表示部）
１００、２００、３００  表示装置
４００  ＰＣ（電子機器）
４１０  携帯電話（電子機器）
４２０  情報携帯端末（電子機器）
【図１】
2010212169.tif 000003
【図２】
2010212169.tif 000004
【図３】
2010212169.tif 000005
【図４】
2010212169.tif 000006
【図５】
2010212169.tif 000007
【図６】
2010212169.tif 000008
【図７】
2010212169.tif 000009
【図８】
2010212169.tif 000010
【図９】
2010212169.tif 000011
【図１０】
2010212169.tif 000012
【図１１】
2010212169.tif 000013